(57)【要約】【課題】支柱高さのばらつきや支柱傾斜による不具合を解消することのできる太陽電池パネルの設置架台及び設置方法を提供すること。【解決手段】太陽電池パネルを支持する支持部材と、前記支持部材を支持する支柱と、前記支柱と前記支持部材を接続する接続部材と、を備え、前記接続部材は、第１締結部材により前記支柱に締結される第１接続部材と、前記第１締結部材の軸方向と交差する方向を軸方向とする第２締結部材により前記第１接続部材に締結されると共に前記支持部材を受ける第２接続部材とを備え、前記第２接続部材における前記支持部材の受け面の位置を前記支柱の軸方向に調整可能であり、前記第１接続部材は前記第１締結部材を回転中心として前記支柱に対して傾斜可能であり、前記第２接続部材は前記第２締結部材を回転中心として前記支柱に対して傾斜可能である、ことを特徴とする太陽電池パネルの設置架台。【選択図】図２
2014034830.tif 000002
【特許請求の範囲】
【請求項１】
太陽電池パネルを支持する支持部材と、
前記支持部材を支持する支柱と、
前記支柱と前記支持部材を接続する接続部材と、
を備え、
前記接続部材は、第１締結部材により前記支柱に締結される第１接続部材と、前記第１締結部材の軸方向と交差する方向を軸方向とする第２締結部材により前記第１接続部材に締結されると共に前記支持部材を受ける第２接続部材とを備え、前記第２接続部材における前記支持部材の受け面の位置を前記支柱の軸方向に調整可能であり、
前記第１接続部材は前記第１締結部材を回転中心として前記支柱に対して傾斜可能であり、前記第２接続部材は前記第２締結部材を回転中心として前記支柱に対して傾斜可能である、
ことを特徴とする太陽電池パネルの設置架台。
【請求項２】
請求項１に記載の太陽電池パネルの設置架台であって、
前記第１接続部材と前記第２接続部材は、各部材に設けられた挿通孔に挿通される前記第２締結部材により締結され、
前記第２接続部材に設けられた前記挿通孔は前記支柱の軸方向に延びた長孔である、
ことを特徴とする太陽電池パネルの設置架台。
【請求項３】
請求項２に記載の太陽電池パネルの設置架台であって、
前記第２接続部材の側面であり前記挿通孔の周囲には、前記支柱の軸方向に沿う凹凸部が設けられ、
前記第２接続部材の前記側面と前記第２締結部材の間に介在するワッシャに設けられた凹凸部と前記第２接続部材の側面に設けられた前記凹凸部とが嵌合した状態で、前記第１接続部材と前記第２接続部材が前記第２締結部材により締結される、
ことを特徴とする太陽電池パネルの設置架台。
【請求項４】
請求項１から請求項３の何れか１項に記載の太陽電池パネルの設置架台であって、
前記支持部材は、前記太陽電池パネルを受けるパネル支持部材と、前記パネル支持部材を受けると共に前記第２接続部材に固定され、且つ、前記パネル支持部材の長手方向と交差する方向に沿って設置される基礎部材と、を備え、
前記パネル支持部材に対する前記太陽電池パネルの位置を固定する第１固定部材は、前記パネル支持部材の長手方向に移動可能であり、
前記基礎部材に対する前記パネル支持部材の位置を固定する第２固定部材は、前記基礎部材の長手方向に移動可能である、
ことを特徴とする太陽電池パネルの設置架台。
【請求項５】
請求項４に記載の太陽電池パネルの設置架台であって、
前記第１固定部材と前記第２固定部材はそれぞれボルトとナットを有し、
前記基礎部材と前記パネル支持部材には、前記ボルト又は前記ナットを回転不能に保持する収容部が各部材の長手方向に沿って設けられ、
前記収容部内の前記ボルト又は前記ナットに、前記支柱が接続された側とは反対側からナット又はボルトが螺合される、
ことを特徴とする太陽電池パネルの設置架台。
【請求項６】
請求項４または請求項５に記載の太陽電池パネルの設置架台であって、
前記第２接続部材に対する前記基礎部材の位置が第３固定部材により固定され、
前記第２固定部材と前記第３固定部材はそれぞれ押圧部材とボルトとナットを有し、
前記パネル支持部材の底部にその長手方向に沿って設けられた溝部に前記押圧部材の一部が嵌合した状態で、前記押圧部材と前記基礎部材の各挿通孔に挿通された前記ボルトを前記ナットで締め付けることにより、前記基礎部材に対する前記パネル支持部材の位置を前記押圧部材が押圧固定し、
前記基礎部材の底部にその長手方向に沿って設けられた溝部に前記押圧部材の一部が嵌合した状態で、前記押圧部材と前記第２接続部材の各挿通孔に挿通された前記ボルトを前記ナットで締め付けることにより、前記第２接続部材に対する前記基礎部材の位置を前記押圧部材が押圧固定する、
ことを特徴とする太陽電池パネルの設置架台。
【請求項７】
請求項１から請求項６の何れか１項に記載の太陽電池パネルの設置架台に太陽電池パネルを設置する方法であって、
地盤に前記支柱を設置する工程と、
前記第１締結部材により前記支柱に前記第１接続部材を締結した後に、前記第２締結部材により前記第１接続部材に前記第２接続部材を締結する工程と、
前記第２接続部材に前記支持部材を取付ける工程と、
前記支持部材に太陽電池パネルを取付ける工程と、
を備えることを特徴とする太陽電池パネルの設置方法。
【請求項８】
請求項７に記載の太陽電池パネルの設置方法であって、
前記太陽電池パネルが所定の姿勢で支持されるように、前記第１接続部材と前記第２接続部材の傾斜を調整する工程と、
前記地盤から前記第２接続部材の前記受け面までの高さが所定の高さとなるように、前記第２接続部材の前記受け面の位置を前記支柱の軸方向に調整する工程と、
を備えることを特徴とする太陽電池パネルの設置方法。
【発明の詳細な説明】
【技術分野】
【０００１】
本発明は、太陽電池パネルの設置架台、及び、太陽電池パネルの設置方法に関する。
【背景技術】
【０００２】
環境問題や省エネルギーの観点から太陽光発電の需要が高まっている。特許文献１には、切妻屋根の一方の面に太陽電池パネルを敷設可能とし、他方の面にバランス鋼板を付設可能とすることで、均衡バランスの取れる太陽電池パネルの据付架台が記載されている。近年では、特許文献１のように住宅やビル等の建物に太陽電池パネルが取り付けられるだけでなく、都市部から離れた未使用の広大な土地に多数の太陽電池パネルが設置され、大規模な太陽光発電も実施されている。
【先行技術文献】
【特許文献】
【０００３】
【特許文献１】特開２００４−１２４６６５号公報
【発明の概要】
【発明が解決しようとする課題】
【０００４】
一般に、太陽電池パネルの設置架台は、ベースから立設する支柱に、太陽電池パネルを支持する支持部材が接続部材を介して取り付けられる構成となっている。但し、支柱の高さにばらつきが生じていたり、支柱が傾斜していたりすると、例えば、接続部材と支持部材の各面をしっかりと当接させることが出来ずに太陽電池パネルの支持が不安定になったり、太陽電池パネルが傾いて取り付けられたりしてしまう。特に、未使用の土地に太陽電池パネルを設置する場合、その土地の形状や支柱を打ち込む際の施工誤差によって、支柱高さのばらつきや支柱の傾斜が発生しやすい。
【０００５】
本発明は、このような事情に鑑みてなされたものであり、支柱高さのばらつきや支柱傾斜による不具合を解消することのできる太陽電池パネルの設置架台、及び、太陽電池パネルの設置方法を提供することを目的とする。
【課題を解決するための手段】
【０００６】
かかる目的を達成するための太陽電池パネルの設置架台は、太陽電池パネルを支持する支持部材と、前記支持部材を支持する支柱と、前記支柱と前記支持部材を接続する接続部材と、を備え、前記接続部材は、第１締結部材により前記支柱に締結される第１接続部材と、前記第１締結部材の軸方向と交差する方向を軸方向とする第２締結部材により前記第１接続部材に締結されると共に前記支持部材を受ける第２接続部材とを備え、前記第２接続部材における前記支持部材の受け面の位置を前記支柱の軸方向に調整可能であり、前記第１接続部材は前記第１締結部材を回転中心として前記支柱に対して傾斜可能であり、前記第２接続部材は前記第２締結部材を回転中心として前記支柱に対して傾斜可能である、ことを特徴とする。  
このような太陽電池パネルの設置架台によれば、支柱高さのばらつきや支柱傾斜による不具合を解消することができ、太陽電池パネルを所定の姿勢及び高さで安定して支持することができる。
【０００７】
かかる太陽電池パネルの設置架台であって、前記第１接続部材と前記第２接続部材は、各部材に設けられた挿通孔に挿通される前記第２締結部材により締結され、前記第２接続部材に設けられた前記挿通孔は前記支柱の軸方向に延びた長孔である、ことを特徴とする。  
このような太陽電池パネルの設置架台によれば、長孔に対する第２締結部材の位置を調整することで、第２接続部材における支持部材の受け面の位置を支柱の軸方向に調整することができる。
【０００８】
かかる太陽電池パネルの設置架台であって、前記第２接続部材の側面であり前記挿通孔の周囲には、前記支柱の軸方向に沿う凹凸部が設けられ、前記第２接続部材の前記側面と前記第２締結部材の間に介在するワッシャに設けられた凹凸部と前記第２接続部材の側面に設けられた前記凹凸部とが嵌合した状態で、前記第１接続部材と前記第２接続部材が前記第２締結部材により締結される、ことを特徴とする。  
このような太陽電池パネルの設置架台によれば、第２接続部材が第２締結部材に対して下方にずれ落ちてしまうことを抑制し、第２接続部材における支持部材の受け面の位置を所定の高さに保持することができる。
【０００９】
かかる太陽電池パネルの設置架台であって、前記支持部材は、前記太陽電池パネルを受けるパネル支持部材と、前記パネル支持部材を受けると共に前記第２接続部材に固定され、且つ、前記パネル支持部材の長手方向と交差する方向に沿って設置される基礎部材と、を備え、前記パネル支持部材に対する前記太陽電池パネルの位置を固定する第１固定部材は、前記パネル支持部材の長手方向に移動可能であり、前記基礎部材に対する前記パネル支持部材の位置を固定する第２固定部材は、前記基礎部材の長手方向に移動可能である、ことを特徴とする。  
このような太陽電池パネルの設置架台によれば、各部材の固定位置の調整代が大きいため、施工効率を高めることができる。例えば、支柱や支持部材が所定の位置からずれて配置されたとしても、そのずれを直すことなく各部材を固定することができ、太陽電池パネルを適正に配置することができる。
【００１０】
かかる太陽電池パネルの設置架台であって、前記第１固定部材と前記第２固定部材はそれぞれボルトとナットを有し、前記基礎部材と前記パネル支持部材には、前記ボルト又は前記ナットを回転不能に保持する収容部が各部材の長手方向に沿って設けられ、前記収容部内の前記ボルト又は前記ナットに、前記支柱が接続された側とは反対側からナット又はボルトが螺合される、ことを特徴とする。  
このような太陽電池パネルの設置架台によれば、基礎部材やパネル支持部材の上方からボルトとナットを締め付けることができ、施工効率を高めることができる。
【００１１】
かかる太陽電池パネルの設置架台であって、前記第２接続部材に対する前記基礎部材の位置が第３固定部材により固定され、前記第２固定部材と前記第３固定部材はそれぞれ押圧部材とボルトとナットを有し、前記パネル支持部材の底部にその長手方向に沿って設けられた溝部に前記押圧部材の一部が嵌合した状態で、前記押圧部材と前記基礎部材の各挿通孔に挿通された前記ボルトを前記ナットで締め付けることにより、前記基礎部材に対する前記パネル支持部材の位置を前記押圧部材が押圧固定し、前記基礎部材の底部にその長手方向に沿って設けられた溝部に前記押圧部材の一部が嵌合した状態で、前記押圧部材と前記第２接続部材の各挿通孔に挿通された前記ボルトを前記ナットで締め付けることにより、前記第２接続部材に対する前記基礎部材の位置を前記押圧部材が押圧固定する、ことを特徴とする。  
このような太陽電池パネルの設置架台によれば、各部材の固定位置の調整代が大きいため、施工効率を高めることができる。例えば、支柱や支持部材が所定の位置からずれて配置されたとしても、そのずれを直すことなく各部材を固定することができ、太陽電池パネルを適正に配置することができる。
【００１２】
かかる太陽電池パネルの設置架台に太陽電池パネルを設置する方法であって、地盤に前記支柱を設置する工程と、前記第１締結部材により前記支柱に前記第１接続部材を締結した後に、前記第２締結部材により前記第１接続部材に前記第２接続部材を締結する工程と、前記第２接続部材に前記支持部材を取付ける工程と、前記支持部材に太陽電池パネルを取付ける工程と、を備えることを特徴とする太陽電池パネルの設置方法である。  
このような太陽電池パネルの設置方法によれば、地盤に凹凸が生じていたり、支柱の打ち込み誤差が生じたりした場合にも、太陽電池パネルを所定の姿勢及び高さで安定して支持することができる。
【００１３】
かかる太陽電池パネルの設置方法であって、前記太陽電池パネルが所定の姿勢で支持されるように、前記第１接続部材と前記第２接続部材の傾斜を調整する工程と、前記地盤から前記第２接続部材の前記受け面までの高さが所定の高さとなるように、前記第２接続部材の前記受け面の位置を前記支柱の軸方向に調整する工程と、を備えることを特徴とする太陽電池パネルの設置方法である。  
このような太陽電池パネルの設置方法によれば、支柱高さのばらつきや支柱傾斜による不具合を解消することができ、太陽電池パネルを所定の姿勢及び高さで安定して支持することができる。
【発明の効果】
【００１４】
本発明によれば、支柱高さのばらつきや支柱傾斜による不具合を解消して、太陽電池パネルを設置架台に設置することができる。
【図面の簡単な説明】
【００１５】
【図１】図１Ａは太陽電池パネルの設置架台をＸ方向から見た側面図であり、図１Ｂは設置架台を上方から見た平面図である。
【図２】図２Ａは設置架台１の斜視図であり、図２Ｂは第１接続部材の斜視図であり、図２Ｃは第２接続部材の斜視図である。
【図３】図３Ａは設置架台１をＸ方向から見た側面図であり、図３Ｂは基礎部材を短手方向に切った断面図である。
【図４】図４Ａは設置架台１をＹ方向から見た側面図であり、図４Ｂはパネル支持部材を短手方向に切った断面図である。
【図５】図５Ａは押圧部材の断面図及び平面図であり、図５Ｂは中間固定具の断面図及び平面図であり、図５Ｃは端部固定具の断面図及び平面図である。
【図６】図６Ａから図６Ｃは支柱高さのばらつきや支柱傾斜が生じているときの調整方法の説明図である。
【図７Ａ】基礎部材の設置位置にずれが生じているときの調整方法の説明図である。
【図７Ｂ】パネル支持部材３０の設置位置にずれが生じているときの調整方法の説明図である。
【図７Ｃ】支柱の設置位置にずれが生じているときの調整方法の説明図である。
【図７Ｄ】支柱の設置位置にずれが生じているときの調整方法の説明図である。
【図８】太陽電池パネル２の設置方法を示すフローである。
【発明を実施するための形態】
【００１６】
以下、太陽電池パネルの設置架台、及び、太陽電池パネルの設置方法の一例について図を用いて詳細に説明する。
【００１７】
＝＝＝太陽電池パネルの設置架台＝＝＝
図１Ａは、太陽電池パネル２の設置架台１をＸ方向から見た側面図であり、図１Ｂは、設置架台１を上方から見た平面図である。図２Ａは、設置架台１（一部）の斜視図であり、図２Ｂは、第１接続部材４１の斜視図であり、図２Ｃは、第２接続部材４２の斜視図である。図３Ａは、設置架台１（一部）をＸ方向から見た側面図であり、図３Ｂは、基礎部材２０を短手方向に切った断面図である。図４Ａは、設置架台１（一部）をＹ方向から見た側面図であり、図４Ｂは、パネル支持部材３０を短手方向に切った断面図である。図５Ａは、押圧部材７１，８１の断面図及び平面図であり、図５Ｂは、中間固定具９１の断面図及び平面図であり、図５Ｃは、端部固定具９２の断面図及び平面図である。図６Ａから図６Ｃは、支柱高さのばらつきや支柱傾斜が生じているときの調整方法の説明図であり、図７Ａから図７Ｄは、支柱１０等の設置位置にずれが生じているときの調整方法の説明図である。
【００１８】
太陽電池パネル２は、表面に多数の太陽電池素子が配列された長方形の板状部材であり、太陽光の照射を受けると電力を発生する。太陽電池パネル２の出力はバッテリ（不図示）に接続されており、太陽電池パネル２で発生した電力はバッテリに蓄えられる。
【００１９】
太陽電池パネル２の設置架台１は、支柱１０と、基礎部材２０と、パネル支持部材３０と、支柱１０と基礎部材２０を接続し且つ第１接続部材４１と第２接続部材４２からなる接続部材４０と、各部材を接続する第１取付部材５０から第５取付部材９０と、を有する。本実施形態では、図１Ｂに示すように、４本の支柱１０と、２本の基礎部材２０と、４本のパネル支持部材３０により、Ｘ方向に３枚、Ｙ方向に４枚（計１２枚）の太陽電池パネル２が設置される設置架台１を例に挙げる。但し、支柱１０や太陽電池パネル２等の数や設置方法はこれに限らない。
【００２０】
支柱１０は、ベース（地盤や建物の屋根等）から上下方向（支柱１０の軸方向）の上方に立設した部材である。本実施形態では、図１Ｂに示すように、Ｘ方向に並ぶ２本の支柱１０の組をＹ方向に２組並べる場合を例に挙げる。一般に、太陽電池パネル２は、発電効率が高まるように、太陽光の照射角度や隣接する太陽電池パネルとの位置関係等に応じて、水平面に対して所定の角度に傾斜して設置される。図１Ａでは、Ｙ方向の奥側の支柱１０ｂよりも手前側の支柱１０ａを短くし、Ｙ方向の奥側が手前側よりも高くなるように太陽電池パネル２が傾斜して設置されている。但し、これに限らず、太陽電池パネル２を水平に設置してもよい。
【００２１】
また、支柱１０は、中空の四角柱形状をなし、図２Ａや図４Ａに示すように、第１接続部材４１の一部が支柱１０の内部に挿入可能な形状をなしている。また、支柱１０が有する面のうちＹ方向に対向する一対の面の上方には、支柱１０と第１接続部材４１を締結するボルト５１を挿通する為の挿通孔１０１が設けられている。なお、支柱１０の形状は四角柱に限らず、例えば円柱でもよい。また、支柱１０が中空でなくてもよい。その場合、例えば、第１接続部材４１の下部が支柱１０を挟み込む構造にするとよい。
【００２２】
基礎部材２０は、同一断面形状（図３Ｂ）の長尺部材であり、図１Ｂに示すように、長手方向がＸ方向に沿うように、Ｘ方向に並ぶ２本の支柱１０に対して１本の基礎部材２０が接続部材４０を介して取付けられる。その結果、２本の基礎部材２０は互いに平行に配設される。また、基礎部材２０は、空洞を有する略四角柱の部材であり、図３Ｂに示すように、上部２０１と、底部２０２と、上部２０１と底部２０２を繋ぎ短手方向（Ｙ方向）に対向する一対の側壁２０３と、その側壁２０３を繋ぎ上部２０１と底部２０２の間に位置する中底部２０４と、側壁２０３よりも内側で上部２０１と中底部２０４を繋ぎ短手方向に対向する一対の内側壁２０５と、中底部２０４と底部２０２を繋ぐ補強部２０６と、を有する。
【００２３】
基礎部材２０の底部２０２は側壁２０３よりも外側に延び、底部２０２の短手方向の両端部には上方に突出した突出部２１が設けられている。そのため、突出部２１と側壁２０３との間に溝部Ａ１が形成される。溝部Ａ１及び突出部２１は基礎部材２０の長手方向の一端部から他端部に亘って形成されている。
【００２４】
基礎部材２０の上部２０１には、基礎部材２０とパネル支持部材３０を締結するボルト８２（フランジ付き六角ボルト）の軸を挿通する為の挿通孔２２が設けられている。また、上部２０１と中底部２０４と内側壁２０５により、ボルト８２の頭とフランジ（つば）を収容する収容部Ａ２，Ａ３が形成されている。内側壁２０５は上下方向の中央部にて短手方向の内側に向かって９０度曲がっており、収容部Ａ２，Ａ３の断面がＴ字形状をなしている。即ち、下方の収容部Ａ３よりも上方の収容部Ａ２の方が短手方向の幅が広くなっており、上方の収容部Ａ２にボルト８２のフランジが収容され、下方の収容部Ａ３にボルト８２の頭が収容される。下方の収容部Ａ３はボルト８２のフランジよりも幅が狭くなっているため、上方の収容部Ａ２でフランジが引っ掛かり、基礎部材２０内でのボルト８２の落下が防止される。そのため、締結時にボルト８２を上方に引っ張る必要がなく、施工効率を高めることができる。また、ボルト８２の軸が挿通される挿通孔２２はフランジよりも幅が狭くなっているため、基礎部材２０の向きを変えたときにも基礎部材２０からのボルト８２の落下が防止される。
【００２５】
また、収容部Ａ２，Ａ３はボルト８２（頭，フランジ）を回転不能に保持する。そのために、ボルト８２の頭，ブランジの径に応じて収容部Ａ２，Ａ３の短手方向の幅が設計されている。また、収容部Ａ２，Ａ３内のボルト８２に上側（支柱１０が接続された側とは反対側）からナット８３が螺合される。従って、締結時にボルト８２の頭を下から固定しなくても、基礎部材２０の上方からボルト８２とナット８３を締め付けることができ、施工効率を高めることができる。
【００２６】
図２Ａに示すように、基礎部材２０の長手方向における端部は開放されており、この開放部からボルト８２の頭を収容部Ａ２，Ａ３に収容しつつ、挿通孔２２からボルト８２の軸を上方に突出させる。また、基礎部材２０の上部２０１に設けられた挿通孔２２、及び、収容部Ａ２，Ａ３は、基礎部材２０の長手方向における一端部から他端部に亘って形成されている。そのため、ボルト８２を基礎部材２０の長手方向に沿って移動させることができる。なお、収容部Ａ２，Ａ３にナット８３を収容し、収容部Ａ２，Ａ３内のナット８３に上側からボルト８２を螺合させてもよいが、収容部Ａ２，Ａ３にボルト８２の頭を収容する方が、ボルト８２の軸を持ってボルト８２を移動させることができ、施工効率を高めることができる。
【００２７】
パネル支持部材３０は、同一断面形状（図４Ｂ）の長尺部材であり、図１Ｂに示すように長手方向がＹ方向に沿うように基礎部材２０上に基礎部材２０と交差して（本実施形態では直交して）取付けられ、４本のパネル支持部材３０が互いに平行に配設される。パネル支持部材３０の断面形状（図４Ｂ）は基礎部材２０の断面形状（図３Ｂ）と類似しており、パネル支持部材３０も、上部３０１と、底部３０２と、短手方向（Ｘ方向）に対向する一対の側壁３０３と、中底部３０４と、内側壁３０５と、を有する。
【００２８】
また、基礎部材２０と同様に、パネル支持部材３０の底部３０２の短手方向の両端部には上方に突出した突出部３１が設けられ、突出部３１と側壁３０３との間の溝部Ｂ１が長手方向の一端部から他端部に亘って形成されている。また、パネル支持部材３０には、上部３０１に、パネル支持部材３０と太陽電池パネル２を締結するボルト９３（フランジ付き六角ボルト）の軸を挿通する為の挿通孔３２が設けられ、また、ボルト９３の頭とフランジを収容する収容部Ｂ２，Ｂ３が設けられている。この挿通孔３２と収容部Ｂ２，Ｂ３も長手方向における一端部から他端部に亘って形成されている。そのため、パネル支持部材３０の長手方向の端部からボルト９３を収容しつつ、ボルト９３をパネル支持部材３０の長手方向に沿って移動させることができる。また、収容部Ｂ２，Ｂ３は、ボルト９３（頭，フランジ）を回転不能に保持し、収容部Ｂ２，Ｂ３内のボルト９３に上側（支柱１０が接続された側とは反対側）からナット９４が螺合される。そのため、パネル支持部材３０の上方からボルト９３にナット９４を締め付けることができ、施工効率を高めることができる。なお、収容部Ｂ２，Ｂ３にナット９４を収容してもよい。
【００２９】
なお、基礎部材２０、及び、パネル支持部材３０は、軽量材料（アルミニウム、アルミニウム合金、樹脂等）を押し出し成形で製造したものとする。そうすることで、図３Ｂや図４Ｂに示すように空洞を有する複雑な断面形状である部材２０，３０であっても容易に製造することができる。また、基礎部材２０及びパネル支持部材３０に空洞を設け、且つ、基礎部材２０及びパネル支持部材３０を軽量材料で製造することで、部材の運搬性や、設置架台１の施工効率を向上させることができる。なお、他の部材（支柱１０や接続部材４１等）も軽量材料で製造してもよい。また、基礎部材２０にはパネル支持部材３０よりも大きな荷重がかかるので、補強部２０６が設けられている。そのため、軽量化の為に基礎部材２０に空洞を設けても、曲がり変形やせん断変形を抑制することができる。なお、パネル支持部材３０に補強部を設けてもよい。
【００３０】
接続部材４０は、図２Ａに示すように、支柱１０に取付けられる第１接続部材４１と、基礎部材２０を受けると共に第１接続部材４１に取付けられる第２接続部材４２と、を有する。
【００３１】
第１接続部材４１は、図２Ｂに示すように、下部が湾曲した略直方体形状の部材であり、中央の一部分が縦方向（Ｙ方向）にくり貫かれている。そのくり貫き部分の下方には、支柱１０と第１接続部材４１を締結するボルト５１を挿通する為の挿通孔４１１が縦方向に貫通して設けられている。その挿通孔４１１よりも上方には、横方向（Ｘ方向）における両側面から外側に突出した突出部４１２が設けられており、一方の突出部４１２から他方の突出部４１２に向かって横方向に貫通する挿通孔４１３が設けられている。この挿通孔４１３に、第１接続部材４１と第２接続部材４２を締結するボルト６１が挿通される。
【００３２】
第１接続部材４１は、図４Ａに示すように、支柱１０と第１接続部材４１を締結するボルト５１及びナット５２（第１締結部材）を回転中心として、支柱１０に対して傾斜可能（回動可能）である。即ち、第１接続部材４１は、Ｘ方向における一端部が他端部よりも上方に位置するように傾斜することができる。ただし、第１接続部材４１の傾斜が大きくなると、図４Ａに示すように、支柱１０が第２接続部材４２に接触してしまう。そのため、支柱１０のＸ方向における外側の側面と第２接続部材４２のＸ方向における内側の側面との間の範囲内で、第１接続部材４１は傾斜することができる。なお、図４Ａでは、第１接続部材４１に対して支柱１０を傾斜させた図となっている。
【００３３】
第２接続部材４２は、図２Ｃに示すように、上部４２１と、横方向（Ｘ方向）に対向する一対の側壁４２２の３面で構成されている。第２接続部材４２の上部４２１には、第２接続部材４２に基礎部材２０を締結するボルト７２を挿通する為の挿通孔４２５であり、上下方向に貫通する挿通孔４２５が２つ設けられている。この２つの挿通孔４２５は、Ｙ方向に所定の間隔を隔てて並び、２つの挿通孔４２５の間に基礎部材２０が配設される。また、図４Ａに示すように、一対の側壁４２２で第１接続部材４１を挟み込むようにして、第２接続部材４２は第１接続部材４１に取り付けられる。一対の側壁４２２には、それぞれ、第１接続部材４１と第２接続部材４２を締結するボルト６１を挿通する為の挿通孔４２３であり、上下方向（支柱１０の軸方向）に延びた長孔４２３が設けられている。また、第２接続部材４２の各側壁４２２の外側の面（側面）であり長孔４２３の周囲には、上下方向に複数の凹凸が並ぶ凹凸部４２４が設けられている。
【００３４】
第１接続部材４１と第２接続部材４２は、図４Ａに示すように、第１接続部材４１の挿通孔４１３と第２接続部材４２の長孔４２３にＸ方向に沿って挿通されるボルト６１と、そのボルト６１に螺合するナット６２（第２締結部材）により締結される。このとき、第２接続部材４２の長孔４２３に対するボルト６１の位置を調整することで、第１接続部材４１及び支柱１０に対する第２接続部材４２の位置を上下方向に調整することができる。即ち、第２接続部材４２における基礎部材２０の受け面４２１の位置を上下方向に調整することができる。
【００３５】
また、第２接続部材４２は、図３Ａに示すように、第１接続部材４１と第２接続部材４２を締結するボルト６１を回転中心として、支柱１０及び第１接続部材４１に対して傾斜可能（回動可能）である。詳しくは、第２接続部材４２は、Ｙ方向における一端部が他端部よりも上方に位置するように傾斜することができる。また、第２接続部材４２には縦方向（Ｙ方向）に対向する一対の側壁が無く開放されているため、第２接続部材４２が傾斜しても第１接続部材４１と第２接続部材４２は干渉しない。従って、第２接続部材４２は第１接続部材４１に比して大きく傾斜することができる。
【００３６】
第１取付部材５０は、支柱１０に第１接続部材４１を取付けるためのものであり、ボルト５１とナット５２を有する。支柱１０の挿通孔１０１と第１接続部材４１の挿通孔４１１にＹ方向に沿ってボルト５１を挿通し、そのボルト５１にナット５２を螺合させて締め付けることで、支柱１０に第１接続部材４１が締結される。なお、ボルトとナットを締結するときにワッシャを介在させてもよいし、フランジ付きのボルトやナットを使用してもよい。
【００３７】
第２取付部材６０は、第１接続部材４１に第２接続部材４２を取付けるためのものであり、ボルト６１と、ナット６２と、ワッシャ６３を有する。第２接続部材４２の側壁４２２（側面）とボルト６１の頭又はナット６２との間にワッシャ６３を介在させる。また、ワッシャ６３には、第２接続部材４２の凹凸部４２４に嵌合可能な凹凸部が設けられている。そして、第２接続部材４２の凹凸部４２４とワッシャ６３の凹凸部とを嵌合させた状態で、第１接続部材４１の挿通孔４１３と第２接続部材４２の長孔４２３にＸ方向に沿ってボルト６１を挿通し、そのボルト６１にナット６２を螺合させて締め付けることで、第１接続部材４１に第２接続部材４２が締結される。
【００３８】
このように、第２接続部材４２の凹凸部４２４とワッシャ６３の凹凸部を嵌合させた状態で、第１接続部材４１と第２接続部材４２を締結することで、第１接続部材４１及びボルト６１に対して第２接続部材４２が下方にずれ落ちてしまうことを抑制できる。従って、太陽電池パネル２を所定の姿勢及び高さに保持することができる。なお、第２接続部材４２における基礎部材２０の受け面の高さを調整する為に、第２接続部材４２の挿通孔４２３を長孔にするに限らず、例えば、第１接続部材４１の挿通孔４１１，４１３を長孔にしてもよいし、支柱１０の挿通孔１０１を長孔にしてもよいし、複数の挿通孔を長孔にしてもよい。
【００３９】
第３取付部材７０（第３固定部材）は、第２接続部材４２に対する基礎部材２０の位置を固定するためのものであり、押圧部材７１（図５Ａ）と、ボルト７２と、ナット７３を有する。押圧部材７１は、略直方体形状の部材であり、下面に溝部Ｃ１が設けられている。溝部Ｃ１は、押圧部材７１の横方向における一端部７１１よりも内側に位置し、縦方向の一端部から他端部に亘って設けられている。この溝部Ｃ１は、基礎部材２０（図３Ｂ）の突出部２１に嵌合可能であり、押圧部材７１の一端部７１１は、基礎部材２０の溝部Ａ１に嵌合可能である。また、押圧部材７１には、上下方向に貫通する挿通孔７１２が設けられている。
【００４０】
そして、図３Ａに示すように、基礎部材２０の底部２０２にその長手方向に沿って設けられた溝部Ａ１に押圧部材７１の一部である一端部７１１を嵌合させ、また、基礎部材２０の突出部２１を押圧部材７１の溝部Ｃ１に嵌合させた状態で、第２接続部材４２の上部の挿通孔４２５と押圧部材７１の挿通孔７１２に上下方向に沿ってボルト７２を挿通し、そのボルト７２にナット７３を螺合させて締め付ける。そうすると、第２接続部材４２の上部とナット７３に挟み込まれた押圧部材７１（一端部７１１）が上方から基礎部材２０の底部（溝部Ａ１）を押圧固定する。その結果、第２接続部材４２に対する基礎部材２０の位置が固定される。なお、基礎部材２０の短手方向における両端部が押圧部材７１により固定される。
【００４１】
第４取付部材８０（第２固定部材）は、基礎部材２０に対するパネル支持部材３０の位置を固定するためのものであり、押圧部材８１（図５Ａ）と、ボルト８２と、ナット８３を有する。第４取付部材８０による取付方法は第３取付部材７０による取付方法と同じであり、押圧部材８１の構造も同じである。つまり、パネル支持部材３０の底部３０２にその長手方向に沿って設けられた溝部Ｂ１に押圧部材８１の一端部８１１を嵌合させ、また、パネル支持部材３０の突出部３１を押圧部材８１の溝部Ｃ１に嵌合させた状態で、基礎部材２０の上部（挿通孔２２）から突出したボルト８２の軸を押圧部材８１の挿通孔８１２に挿通し、そのボルト８２にナット８３を螺合させて締め付ける。そうすると、基礎部材２０の上部とナット８３に挟み込まれた押圧部材８１（一端部８１１）が上方からパネル支持部材３０の底部（溝部Ｂ１）を押圧固定する。その結果、基礎部材２０に対するパネル支持部材３０の位置が固定される。なお、パネル支持部材３０の短手方向における両端部が押圧部材８１により固定される。
【００４２】
第５取付部材９０（第１固定部材）は、パネル支持部材３０に対する太陽電池パネル２の位置を固定するためのものであり、中間固定具９１（図５Ｂ）と、端部固定具９２（図５Ｃ）と、ボルト９３と、ナット９４を有する。各固定具９１，９２は、上部９１ａ，９２ａと、上部９１ａ，９２ａの横方向における一端側から下方に延びる側壁９１ｂ，９２ｂと、を有する。上部９１ａ，９２ａの下面には横方向の他端側に、太陽電池パネル２の角部に沿う切欠き部（角部Ｃ２，Ｃ４）が設けられている。また、中間固定具９１では上部９１ａが側壁９１ｂよりも横方向の一端側に延び、上部９１ａと側壁９１ｂにより太陽電池パネル２の角部に沿う角部Ｃ３が形成されている。また、中間固定具９１及び端部固定具９２には上下方向に貫通する挿通孔９１２，９２２がそれぞれ設けられている。
【００４３】
そして、ある太陽電池パネル２よりもＹ方向の一方側に太陽電池パネル２が存在しない場合、その太陽電池パネル２のＹ方向の一方側の角部に端部固定具９２の角部Ｃ４が合わされ、パネル支持部材３０の上部（挿通孔３２）から突出するボルト９３の軸が端部固定具９２の挿通孔９２２に挿通され、そのボルト９３にナット９４が螺合されて締め付けられる。一方、ある太陽電池パネル２よりもＹ方向の一方側に太陽電池パネル２が存在する場合、その太陽電池パネル２のＹ方向の一方側の角部に中間固定具９１の角部Ｃ２が合わされ、パネル支持部材３０の上部から突出するボルト９３の軸が中間固定具９１の挿通孔９１２に挿通され、そのボルト９３にナット９４が螺合されて締め付けられる。その結果、太陽電池パネル２は、パネル支持部材３０の上部３０１と中間固定具９１又は端部固定具９２との間に挟み込まれ、パネル支持部材３０に対する太陽電池パネル２の位置が固定される。
【００４４】
以上のように、本実施形態の設置架台１は、太陽電池パネル２を支持する支持部材、即ち、太陽電池パネル２を受けるパネル支持部材３０と、パネル支持部材３０を受けると共に第２接続部材４２に固定され、且つ、パネル支持部材３０の長手方向と交差する方向（本実施形態では直交する方向）に沿って設置される基礎部材２０と、支持部材２０，３０を支持する支柱１０と、支柱１０と支持部材２０，３０を接続する接続部材４０と、を備える。
【００４５】
そして、接続部材４０は、ボルト５１及びナット５２（第１締結部材）により支柱１０に締結される第１接続部材４１と、そのボルト５１及びナット５２の軸方向（Ｙ方向）と交差する方向（Ｘ方向）を軸方向とするボルト６１及びナット６２（第２締結部材）により第１接続部材４１に締結されると共に基礎部材２０を受ける第２接続部材４２と、を備え、第２接続部材４２における基礎部材２０の受け面（上部４２１）の位置を上下方向（支柱の軸方向）に調整可能である。また、第１接続部材４１は、Ｙ方向を軸方向とするボルト５１及びナット５２を回転中心として、支柱１０に対してＸ方向に傾斜可能であり、第２接続部材４２は、Ｘ方向を軸方向とするボルト６１及びナット６２を回転中心として、支柱１０に対してＹ方向に傾斜可能である。
【００４６】
図６Ａは、支柱１０のＸ方向の右端が左端よりも下方に傾斜して設置された場合を示す図である。この状態で何れの調整も行わないと、図６Ａの左図に示すように、第２接続部材４２の上部４２１に基礎部材２０の底部２０２を面接触させることができなかったり、第２接続部材４２に基礎部材２０をしっかりと固定することができなかったりして、第２接続部材４２による基礎部材２０の支持が不安定になってしまう。その他、基礎部材２０がＸ方向（水平面）に対して傾斜し、パネル支持部材３０や太陽電池パネル２を所定の姿勢で支持することができなくなってしまう。
【００４７】
しかし、本実施形態の設置架台１では、Ｙ方向を軸方向とするボルト５１を回転中心として、第１接続部材４１が傾斜可能である。そのため、支柱１０の傾斜方向と反対方向に第１接続部材４１を傾斜させることで、図６Ａの右図に示すように、第２接続部材４２の上部４２１を水平にすることができる。従って、第２接続部材４２の上部４２１と基礎部材２０の底部２０２を面接触させ、第２接続部材４２に基礎部材２０をしっかりと固定することができ、第２接続部材４２による基礎部材２０の支持を安定させることができる。また、基礎部材２０をＸ方向に水平に設置することができ、パネル支持部材３０や太陽電池パネル２を所定の姿勢で支持することができる。
【００４８】
図６Ｂは、支柱１０のＹ方向の奥側端部が手前側端部よりも下方に傾斜して設置された場合を示す図である。この状態で何れの調整も行わないと、図６Ｂの左図に示すように、第２接続部材４２の上部４２１に基礎部材２０の底部２０２を面接触させることができなかったり、第２接続部材４２に基礎部材２０をしっかりと固定することができなかったりして、第２接続部材４２による基礎部材２０の支持が不安定になってしまう。その他、基礎部材２０が所定の角度とは異なる角度でＹ方向（水平面）に対して傾斜し、パネル支持部材３０や太陽電池パネル２を所定の姿勢で支持することができなくなってしまう。
【００４９】
しかし、本実施形態の設置架台１では、Ｘ方向を軸方向とするボルト６１を回転中心として、第２接続部材４２が傾斜可能である。そのため、支柱１０の傾斜方向と反対方向に第２接続部材４２を傾斜させることで、図６Ｂの右図に示すように、第２接続部材４２の上部４２１を水平にすることができる。従って、第２接続部材４２の上部４２１に基礎部材２０の底部２０２を面接触させ、第２接続部材４２に基礎部材２０をしっかりと固定することができ、第２接続部材４２による基礎部材２０の支持を安定させることができる。
【００５０】
また、本実施形態では、第２接続部材４２に基礎部材２０が締結された後、図１Ａに示すように、基礎部材２０の上に、パネル支持部材３０をＹ方向（水平面）に対して傾斜させて設置する。この時も、太陽電池パネル２の傾斜角度に応じて、ボルト６１を回転中心として第２接続部材４２を傾斜させることで、基礎部材２０の上部２０１にパネル支持部材３０の底部３０２を面接触させ、基礎部材２０にパネル支持部材３０をしっかりと固定することができ、また、パネル支持部材３０を所定の角度で傾斜させて設置することができる。
【００５１】
図６Ｃは、支柱１０の高さがばらついた場合を示す図である。この状態で何れの調整も行わないと、図６Ｃの左図に示すように、第２接続部材４２の上部４２１に基礎部材２０の底部２０２を面接触させることができなかったり、第２接続部材４２に基礎部材２０をしっかりと固定することができなかったりして、第２接続部材４２による基礎部材２０の支持が不安定になってしまう。その他、基礎部材２０がＸ方向（水平面）に対して傾斜し、パネル支持部材３０や太陽電池パネル２を所定の姿勢で支持することができなくなってしまう。
【００５２】
しかし、本実施形態の設置架台１では、第２接続部材４２の長孔４２３により、第２接続部材４２の上下方向の位置（高さ）を調整することができる。そのため、高さの低い支柱１０に取付けられた第２接続部材４２の位置を上方にずらすことで、図６Ｃの右図に示すように、第２接続部材４２の上部４２１に基礎部材２０の底部２０２を面接触させ、第２接続部材４２に基礎部材２０をしっかりと固定することができ、第２接続部材４２による基礎部材２０の支持を安定させることができる。また、基礎部材２０をＸ方向に水平に設置することができ、パネル支持部材３０や太陽電池パネル２を所定の姿勢で支持することができる。
【００５３】
このように、本実施形態の設置架台１によれば、支柱１０の高さのばらつきや支柱１０の傾斜による不具合を解消することができ、ばらつきや傾斜を直さなくても、例えば、支柱１０を打ち込み直さなくても、太陽電池パネル２を所定の姿勢及び高さで安定して支持することができる。従って、施工効率を高めることができ、工期を短縮することができる。
【００５４】
また、本実施形態の設置架台１では、パネル支持部材３０に対する太陽電池パネル２の位置を固定する第５取付部材９０（第１固定部材）、即ち、パネル支持部材３０に収容されたボルト９３が、パネル支持部材３０の長手方向（Ｙ方向）に移動可能であり、基礎部材２０に対するパネル支持部材３０の位置を固定する第４取付部材８０（第２固定部材）、即ち、基礎部材２０に収容されたボルト７２が、基礎部材２０の長手方向（Ｘ方向）に移動可能である。また、パネル支持部材３０の底部３０２にその長手方向（Ｙ方向）に沿って溝部Ｂ１が設けられ、基礎部材２０の底部２０２にその長手方向（Ｘ方向）に沿って溝部Ａ１が設けられている。
【００５５】
図７Ａは、基礎部材２０が所定の位置（設計位置）からＸ方向の右側にずれて配置された場合を示す図である。この場合、図７Ａの上図に示すように、基礎部材２０のＸ方向右側端部に対する第２接続部材４２の位置が所定の位置よりもＸ方向の左側にずれる。しかし、本実施形態の設置架台１では、押圧部材７１の一端部７１１と嵌合する基礎部材２０の溝部Ａ１が基礎部材２０の長手方向（Ｘ方向）に沿って設けられている。そのため、基礎部材２０がＸ方向にずれて配置されても、第３取付部材７０（押圧部材７１）により第２接続部材４２に基礎部材２０を固定することができる。
【００５６】
また、この場合、図７Ａの下図に示すように、基礎部材２０のＸ方向右側端部に対するパネル支持部材３０の位置も所定の位置よりもＸ方向の左側にずれる。しかし、本実施形態の設置架台１では、第４取付部材８０、即ち、基礎部材２０に収容されたボルト８２が、基礎部材２０の長手方向（Ｘ方向）移動可能である。そのため、基礎部材２０に対するパネル支持部材３０の位置がＸ方向にずれても、第４取付部材８０（ボルト８２）により基礎部材２０にパネル支持部材３０を固定することができる。
【００５７】
図７Ｂは、パネル支持部材３０が所定の位置からＹ方向の奥側にずれて配置された場合を示す図である。この場合、図７Ｂの上図に示すように、パネル支持部材３０のＹ方向奥側端部に対する基礎部材２０の位置が所定の位置よりもＹ方向の手前側にずれることになる。しかし、本実施形態の設置架台１では、押圧部材８１の一端部８１１と嵌合するパネル支持部材３０の溝部Ｂ１がパネル支持部材３０の長手方向（Ｙ方向）に沿って設けられている。そのため、パネル支持部材３０がＹ方向にずれて配置されても、第４取付部材８０により基礎部材２０にパネル支持部材３０を固定することができる。
【００５８】
また、この場合、図７Ｂの下図に示すように、パネル支持部材３０のＹ方向奥側端部からの太陽電池パネル２の取付位置が所定の位置よりもＹ方向の手前側にずれることになる。しかし、本実施形態の設置架台１では、第５取付部材９０、即ち、パネル支持部材３０に収容されたボルト９３がパネル支持部材３０の長手方向（Ｙ方向）に移動可能である。そのため、太陽電池パネル２の長辺をＸ方向に沿わせて配置することができ、太陽電池パネル２同士が接触したり、隙間が空き過ぎたりしてしまうことを防止できる。
【００５９】
図７Ｃは、支柱１０が所定の位置からＸ方向の右側にずれて配置された場合を示す図である。この場合、基礎部材２０のＸ方向右側端部に対する第２接続部材４２の位置が所定の位置よりもＸ方向の右側にずれることになる。しかし、本実施形態の設置架台１では、基礎部材２０の溝部Ａ１が基礎部材２０の長手方向（Ｘ方向）に沿って設けられている。そのため、支柱１０がＸ方向にずれて配置されても、第３取付部材７０（押圧部材７１）により第２接続部材４２に基礎部材２０を固定することができる。
【００６０】
図７Ｄは、支柱１０が所定の位置からＹ方向の奥側にずれた場合と、斜め方向（Ｙ方向の奥側及びＸ方向の右側）にずれた場合と、を示す図である。この場合、図７Ｄの中央図に示すように、基礎部材２０がＸ方向に対して傾斜して配置されてしまう。そのため、図７Ｄの下図に示すように、基礎部材２０に対するパネル支持部材３０の取付位置がＸ方向やＹ方向にずれてしまう。しかし、本実施形態の設置架台１では、パネル支持部材３０の溝部Ｂ１がパネル支持部材３０の長手方向に沿って設けられ、また、基礎部材２０に収容されたボルト８２が基礎部材２０の長手方向に移動可能である。そのため、平行でない２つの基礎部材２０の上に、複数のパネル支持部材３０を平行に配置することができ、太陽電池パネル２の長辺をＸ方向に沿わせて配置することができる。
【００６１】
このように、本実施形態の設置架台１によれば、支柱１０や基礎部材２０、パネル支持部材３０の設置位置が所定の位置からずれていても、第３取付部材７０〜第５取付部材９０により各部材を固定することができ、複数のパネル支持部材３０を平行に配置することができる。そのため、太陽電池パネル２の長辺をＸ方向に沿わせて配置することができるので、太陽電池パネル２同士が接触したり、隙間が空き過ぎたりしてしまうことを防止でき、太陽電池パネル２を適正に配置することができる。つまり、本実施形態の設置架台１では、汎用の鋼材を使用する場合に比べて、各部材の固定位置の調整代が大きいため、支柱１０を打ち直したり、基礎部材２０やパネル支持部材３０を厳密に所定の位置に配置したりする必要が無く、施工効率を高めることができる。
【００６２】
＝＝＝太陽電池パネルの設置方法＝＝＝
図８は、太陽電池パネル２の設置方法を示すフローである。支柱１０や基礎部材２０，パネル支持部材３０等の設置架台１を構成する各部材は、組み立てられていない状態で、太陽電池パネル２の設置場所に運搬される。そして、太陽電池パネル２の設置場所において、まず、杭打ち機械や作業者によって地盤に支柱１０（杭）が設置される（Ｓ００１）。このとき、挿通孔１０１が設けられた支柱１０の対向面がＹ方向に対向するように支柱１０を設置する。なお、支柱１０は、地盤に打ち込むに限らず、例えば、コンクリートブロックで支柱を立設支持するようにしてもよいし、地盤を削孔し、セメントミルク等で根固めしてもよい。
【００６３】
特に、地盤に支柱２０を設置する場合、その土地の形状や支柱１０を打ち込む際の施工誤差等によって、図６Ａから図６Ｃに示すように、支柱１０の傾斜や支柱１０の高さのばらつきが発生しやすい。しかし、本実施形態の設置架台１では、支柱１０に対する第１接続部材４１や第２接続部材４２の傾斜を調整することができ、また、第２接続部材４２の高さを調整することができる。そのため、地盤に支柱１０を設置する場合であっても、設置架台１は、太陽電池パネル２を所定の姿勢及び高さで安定して支持することができる。
【００６４】
次に、作業者は、支柱１０の挿通孔１０１と第１接続部材４１の挿通孔４１１にＹ方向に沿ってボルト５１を挿通し、そのボルト５１にナット５２を螺合して締め付け、支柱１０に第１接続部材４１を締結し取付ける（Ｓ００２）。そして、作業者は、第１接続部材４１の挿通孔４１３と第２接続部材４２の長孔４２３にＸ方向に沿ってボルト６１を挿通し、そのボルト６１にナット６２を螺合しワッシャ６３を介在させて締め付け、第１接続部材４１に第２接続部材４２を締結し取付ける（Ｓ００３）。なお、この時、ワッシャ６３の凹凸部と第２接続部材４２の凹凸部４２４を嵌合させる。
【００６５】
その後、作業者は、前述の図６Ａから図６Ｃに示すように、支柱１０が傾斜していたり、支柱１０の高さにばらつきが生じていたりする場合には、太陽電池パネル２が所定の姿勢で支持されるように支柱１０に対する第１接続部材４１及び第２接続部材４２の傾斜を調整し、また、地盤から第２接続部材４２の上部４２１（基礎部材２０の受け面）までの高さが所定の高さとなるように、第２接続部材４２の位置を支柱１０の軸方向に調整する（Ｓ００４）。そうすることで、設置架台１は、太陽電池パネル２を所定の姿勢及び高さで安定して支持することができる。
【００６６】
次に、作業者は、基礎部材２０の溝部Ａ１に押圧部材７１の一端部７１１を嵌合し、押圧部材７１の挿通孔７１１と第２接続部材４２の挿通孔４２５にボルト７２を上下方向に沿って挿通し、そのボルト７２にナット７３を螺合して締め付け、第２接続部材４２に基礎部材２０を締結し取付ける（Ｓ００５）。なお、第２接続部材４２に基礎部材２０を取付けた後に、第１接続部材４１や第２接続部材４２の傾斜や高さを調整してもよい（図６Ａ〜図６Ｃ）。
【００６７】
次に、作業者は、基礎部材２０の長手方向と交差する方向（直交する方向）にパネル支持部材３０を載置し、基礎部材２０の長手方向端部から収容部Ａ２，Ａ３にボルト８２を挿入し、基礎部材２０とパネル支持部材３０との取付位置までボルト８２を移動する。そして、作業者は、パネル支持部材３０の溝部Ｂ１に押圧部材８１の一端部８１１を嵌合し、基礎部材２０の上部から突出するボルト８２の軸を押圧部材８１の挿通孔８１１に挿通し、そのボルト８２にナット８３を螺合して基礎部材２０の上方から締め付け、基礎部材２０にパネル支持部材３０を締結し取付ける（Ｓ００６）。
【００６８】
また、この時、図１Ａのように太陽電池パネル２を傾斜させる場合、短い支柱１０ａと長い支柱１０ｂにそれぞれ取付けられた基礎部材２０の上部２０１にパネル支持部材３０の底部３０２が面接触するように、太陽電池パネル２の傾斜角度に合わせて第２接続部材４２を傾斜させる。そうすることで、基礎部材２０はパネル支持部材３０を安定して支持することができる。
【００６９】
最後に、作業者は、パネル支持部材３０の上に太陽電池パネル２を載置し、パネル支持部材３０の長手方向端部から収容部Ｂ２，Ｂ３にボルト９３を挿入し、パネル支持部材３０と太陽電池パネル２の取付位置までボルト９３を移動する。そして、作業者は、各太陽電池パネル２のＹ方向の角部に中間固定具９１又は端部固定具９２の角部Ｃ２〜Ｃ４を合わせ、パネル支持部材３０の上部から突出するボルト９３の軸を固定具９１，９２の挿通孔９１２，９２２に挿通し、そのボルト９３にナット９４を螺合してパネル支持部材３０の上方から締め付け、パネル支持部材３０に太陽電池パネル２を締結し取付ける（Ｓ００７）。その結果、図１Ａに示すように、太陽電池パネル２もパネル支持部材３０と同様にＹ方向（水平面）に対して傾斜させて設置することができる。こうして、設置架台１及び太陽電池パネル２の設置が完了する。
【００７０】
以上、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【００７１】
例えば、前述の実施形態では、Ｘ方向に沿う基礎部材２０とＹ方向に沿うパネル支持部材３０で太陽電池パネル２を支持しているが、これに限らず、基礎部材２０のみで太陽電池パネル２を支持してもよいし、パネル支持部材３０のみで太陽電池パネル２を支持してもよい。
【００７２】
また、前述の実施形態では、第２接続部材４２の側壁４２２の凹凸部４２４にワッシャ６３の凹凸部を嵌合させた状態で、ボルト６１及びナット６２により第１接続部材４１と第２接続部材４２を締結しているが、これに限らず、ワッシャ６３を介在させなくてもよい。
【００７３】
また、前述の実施形態では、基礎部材２０とパネル支持部材３０に収容されたボルトが各部材の長手方向に移動可能であるが、ボルトが長手方向に移動不能であってもよい、即ち、ボルトの挿通孔２２，３２や収容部Ａ２，Ａ３，Ｂ２，Ｂ３を長手方向に延ばさなくてもよい。また、基礎部材２０とパネル支持部材３０の溝部Ａ１，Ｂ１を長手方向に延ばさなくてもよい。また、基礎部材２０とパネル支持部材３０に設けられた溝部Ａ１，Ｂ１や、ボルトの挿通孔２２，２３及び収容部Ａ２，Ａ３，Ｂ２，Ｂ３を、長手方向の一端部から他端部に亘って連続して設けるに限らず、例えば、長手方向に沿う一部にだけ設けてもよいし、不連続に設けてもよい。また、基礎部材２０とパネル支持部材３０に収容されたボルトが回転するようにしてもよい。
【符号の説明】
【００７４】
１  設置架台、２  太陽電池パネル、１０  支柱、２０  基礎部材（支持部材）、
３０  パネル支持部材（支持部材）、
４０  接続部材、４１  第１接続部材、４２  第２接続部材、
５０  第１取付部材、５１  ボルト（第１締結部材）、５２  ナット（第１締結部材）、
６０  第２取付部材、６１  ボルト（第２締結部材）、６２  ナット（第２締結部材）、６３  ワッシャ、
７０  第３取付部材（第３固定部材）、７１  押圧部材、７２  ボルト、７３  ナット、
８０  第４取付部材（第２固定部材）、８１  押圧部材、８２  ボルト、８３  ナット、
９０  第５取付部材（第１固定部材）、９１  端部固定具、９２  中間固定具、
９３  ボルト、９４  ナット
【図１】
2014034830.tif 000003
【図２】
2014034830.tif 000004
【図３】
2014034830.tif 000005
【図４】
2014034830.tif 000006
【図５】
2014034830.tif 000007
【図６】
2014034830.tif 000008
【図７Ａ】
2014034830.tif 000009
【図７Ｂ】
2014034830.tif 000010
【図７Ｃ】
2014034830.tif 000011
【図７Ｄ】
2014034830.tif 000012
【図８】
2014034830.tif 000013